(57)【特許請求の範囲】
【請求項１】
１以上の蓄電素子を備えるコンテナ型蓄電ユニットであって、
前記１以上の蓄電素子を収納するとともに内部に人が立入可能な空間を有するコンテナと、
前記コンテナ内に配置され、内方に前記１以上の蓄電素子が収容されるラックと、
前記コンテナの内側面に沿って延設された梁部材であって、両側面の一方が前記コンテナの内側面に固定され、当該両側面の他方が前記ラックの外側面に固定された梁部材と、を備え、
前記コンテナ型蓄電ユニットは、複数の前記ラックを備えており、
前記梁部材は、前記両側面の他方が前記複数のラックの外側面に固定されている
コンテナ型蓄電ユニット。
【請求項２】
１以上の蓄電素子を備えるコンテナ型蓄電ユニットであって、
前記１以上の蓄電素子を収納するとともに内部に人が立入可能な空間を有するコンテナと、
前記コンテナ内に配置され、内方に前記１以上の蓄電素子が収容されるラックと、
前記コンテナの内側面に沿って延設された梁部材であって、両側面の一方が前記コンテナの内側面に固定され、当該両側面の他方が前記ラックの外側面に固定された梁部材と、を備え、
前記梁部材には、鉛直方向上側の上面と、鉛直方向下側の下面とを貫通する通気口が形成されている
コンテナ型蓄電ユニット。
【請求項３】
前記コンテナ型蓄電ユニットは、複数の前記ラックを備えており、
前記梁部材は、前記両側面の他方が前記複数のラックの外側面に固定されている
請求項２に記載のコンテナ型蓄電ユニット。
【請求項４】
前記梁部材は、前記上面を有する上壁と、前記下面を有する下壁とを有しており、
前記通気口は、前記上壁を貫通する上側通気口と、前記下壁を貫通する下側通気口とを有する
請求項２または３に記載のコンテナ型蓄電ユニット。
【請求項５】
前記上側通気口と前記下側通気口とは、鉛直方向において対向する位置に配置されている
請求項４に記載のコンテナ型蓄電ユニット。
【請求項６】
前記梁部材の前記両側面の前記一方は、前記梁部材の延設方向に長尺に前記コンテナの内側面に当接した状態で前記コンテナの内側面に固定され、
前記梁部材の前記両側面の前記他方は、前記梁部材の延設方向に長尺に前記ラックの外側面に当接した状態で前記ラックの外側面に固定される
請求項１〜５のいずれか１項に記載のコンテナ型蓄電ユニット。
【請求項７】
前記コンテナ型蓄電ユニットは、前記ラックの外側面の上部及び中央部に固定される少なくとも２つの前記梁部材を備えている
請求項１〜６のいずれか１項に記載のコンテナ型蓄電ユニット。
【発明の詳細な説明】
【技術分野】
【０００１】
本発明は、１以上の蓄電素子と、当該１以上の蓄電素子を収納するコンテナとを備えるコンテナ型蓄電ユニットに関する。
【背景技術】
【０００２】
従来、１以上の蓄電素子と、当該１以上の蓄電素子を収納するコンテナとを備える設備（以下、コンテナ型蓄電ユニットという）が知られている（例えば、特許文献１参照）。
【先行技術文献】
【特許文献】
【０００３】
【特許文献１】特開２０１４−５６６８２号公報
【発明の概要】
【発明が解決しようとする課題】
【０００４】
ここで、上記のような従来のコンテナ型蓄電ユニットにおいては、１以上の蓄電素子をラックに収容し、当該ラックをコンテナ内に載置している。しかしながら、上記従来のコンテナ型蓄電ユニットでは、一般的に、多くの蓄電素子を収容するためにラックの高さを高くしているため、地震等の場合に、当該ラックが倒れるなどの不具合が生じる虞がある。
【０００５】
本発明は、上記問題を解決するためになされたものであり、コンテナ内でラックを安定して固定することができるコンテナ型蓄電ユニットを提供することを目的とする。
【課題を解決するための手段】
【０００６】
上記目的を達成するために、本発明の一態様に係るコンテナ型蓄電ユニットは、１以上の蓄電素子を備えるコンテナ型蓄電ユニットであって、前記１以上の蓄電素子を収納するとともに内部に人が立入可能な空間を有するコンテナと、前記コンテナ内に配置され、内方に前記１以上の蓄電素子が収容されるラックと、前記コンテナの内側面に沿って延設された梁部材であって、両側面の一方が前記コンテナの内側面に固定され、当該両側面の他方が前記ラックの外側面に固定された梁部材とを備える。
【０００７】
これによれば、コンテナ型蓄電ユニットは、コンテナの内側面とラックの外側面とに固定された梁部材を有している。つまり、コンテナ型蓄電ユニットは、通常の建築物と比べて、地震等の場合に揺れやすいため、ラックが転倒するなどの不具合が生じやすいが、コンテナとラックとが梁部材によって固定されているため、コンテナ内でラックを安定して固定することができる。
【０００８】
また、前記コンテナ型蓄電ユニットは、複数の前記ラックを備えており、前記梁部材は、前記両側面の他方が前記複数のラックの外側面に固定されていることにしてもよい。
【０００９】
これによれば、コンテナ型蓄電ユニットが複数のラックを備えている構成においては、１つの梁部材に当該複数のラックを固定することで、梁部材をコンテナとラックとに固定する際の寸法精度の向上及び強度確保を図ることができる。
【００１０】
また、前記コンテナ型蓄電ユニットは、前記ラックの外側面の上部及び中央部に固定される少なくとも２つの前記梁部材を備えていることにしてもよい。
【００１１】
これによれば、コンテナ型蓄電ユニットにおいて、ラックの上部及び中央部に梁部材を固定することで、コンテナ内でラックをさらに安定して固定することができる。
【００１２】
また、前記梁部材には、鉛直方向上側の上面と、鉛直方向下側の下面とを貫通する通気口が形成されていることにしてもよい。
【００１３】
ここで、コンテナとラックとを梁部材を介して固定した構成では、コンテナとラックとの間の隙間が小さくなるため、蓄電素子から発せられる熱が当該隙間に滞留し、また、当該梁部材によって放熱が妨げられる。このため、当該梁部材に通気口を設けることで、コンテナとラックとの間に熱が滞留するのを抑制し、当該熱を放熱することができる。
【００１４】
また、前記梁部材は、前記上面を有する上壁と、前記下面を有する下壁とを有しており、前記通気口は、前記上壁を貫通する上側通気口と、前記下壁を貫通する下側通気口とを有することにしてもよい。
【００１５】
これによれば、梁部材の軽量化を図るために中空の梁部材を用いた場合でも、梁部材の上壁と下壁とに通気口を形成することで、コンテナとラックとの間に熱が滞留するのを抑制し、当該熱を放熱することができる。
【００１６】
また、前記上側通気口と前記下側通気口とは、鉛直方向において対向する位置に配置されていることにしてもよい。
【００１７】
これによれば、梁部材の上壁と下壁の通気口を対向する位置に配置することで、熱の流れを良くして、当該熱が滞留するのを抑制することができる。
【発明の効果】
【００１８】
本発明におけるコンテナ型蓄電ユニットによれば、コンテナ内でラックを安定して固定することができる。
【図面の簡単な説明】
【００１９】
【図１】本発明の実施の形態に係るコンテナ型蓄電ユニットの外観を示す斜視図である。
【図２】本発明の実施の形態に係るコンテナ型蓄電ユニットの内部の構成を示す斜視図である。
【図３】本発明の実施の形態に係るコンテナ型蓄電ユニットの機能構成を示すブロック図である。
【図４】本発明の実施の形態に係る蓄電装置の内部の構成を示す斜視図である。
【図５】本発明の実施の形態に係る蓄電モジュールの構成を示す斜視図である。
【図６】本発明の実施の形態に係る蓄電素子の構成を示す斜視図である。
【図７】本発明の実施の形態に係る蓄電装置がコンテナに固定されている構成を示す斜視図である。
【図８】本発明の実施の形態に係る梁部材の構成を示す斜視図である。
【図９】本発明の実施の形態に係る梁部材がコンテナの側壁部に固定されている構成を示す正面図である。
【図１０】本発明の実施の形態に係る梁部材がコンテナの側壁部に固定されている構成を示す断面図である。
【図１１】本発明の実施の形態の変形例１に係る梁部材によって蓄電装置がコンテナに固定されている構成を示す斜視図である。
【図１２】本発明の実施の形態の変形例２に係る梁部材の構成を示す斜視図である。
【図１３】本発明の実施の形態の変形例３に係る梁部材の構成を示す斜視図である。
【図１４】本発明の実施の形態の変形例４に係る梁部材の構成を示す図である。
【発明を実施するための形態】
【００２０】
以下、図面を参照しながら、本発明の実施の形態に係るコンテナ型蓄電ユニットについて説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。
【００２１】
（実施の形態）
まず、コンテナ型蓄電ユニット１の構成について、説明する。
【００２２】
図１は、本発明の実施の形態に係るコンテナ型蓄電ユニット１の外観を示す斜視図である。また、図２は、本発明の実施の形態に係るコンテナ型蓄電ユニット１の内部の構成を示す斜視図である。また、図３は、本発明の実施の形態に係るコンテナ型蓄電ユニット１の機能構成を示すブロック図である。
【００２３】
コンテナ型蓄電ユニット１は、内部に人が立入可能なコンテナ内に複数の蓄電素子を収納した設備である。具体的には、図１に示すように、コンテナ型蓄電ユニット１は、コンテナ１０を備えている。また、図２に示すように、コンテナ型蓄電ユニット１は、コンテナ１０の内方に、複数の蓄電装置１００（本実施の形態では、８つの蓄電装置１０１〜１０８）と、複数のパワーコンディショナ２００（本実施の形態では、２つのパワーコンディショナ２０１、２０２）と、制御装置３００とを備えている。
【００２４】
なお、蓄電装置１００は複数設けられていなくともよく、１つの蓄電装置１００しか設けられていない構成でもかまわない。また、パワーコンディショナ２００についても同様に、１つのパワーコンディショナ２００しか設けられていない構成でもかまわない。また、制御装置３００については、複数の制御装置３００が設けられている構成でもよい。
【００２５】
コンテナ１０は、内部に人が立入可能な空間を有するコンテナである。つまり、コンテナ１０は、内部の機器のメンテナンス時などに内部に人が立ち入れるほどの大きさを有する金属製の中空かつ直方体形状の箱体である。具体的には、コンテナ１０は、後述の複数の蓄電素子１２２を有する蓄電装置１００を収納し、土地に自立して設置されている。なお、コンテナ１０は、いわゆるシェルタなどの箱体や、トラックや列車などの輸送手段によって搬送可能な箱体なども含む概念である。
【００２６】
例えば、コンテナ１０の一例として、蓄電装置１００を収納するいわゆる専用コンテナのうち、建築物には該当しない専用コンテナが挙げられるが、これに限定されない。国住指第４８４６号では、このような建築物には該当しない専用コンテナは、蓄電素子１２２、その他蓄電素子１２２としての機能を果たすため必要となる設備、及びそれらの設備を設置するための空間その他の蓄電素子１２２としての機能を果たすため必要となる最小限の空間のみを内部に有していると定義されている。また、この場合、コンテナ１０は、稼動時は無人であり、機器の重大な障害発生時等を除いて内部に人が立ち入らないこととされている。また、この場合、コンテナ１０は、複数積み重ねられて使用されることはないと定義されている。
【００２７】
ここで、コンテナ１０は、下壁部１１と、側壁部１２、１３、１４及び１５と、上壁部１６とを有している。また、コンテナ１０は、内方に、コンテナ１０内の空間を２つの部屋に仕切る間仕切壁１７を有している。
【００２８】
下壁部１１は、コンテナ１０の底部に配置された壁であり、底面を形成する矩形状の板状部材である床板と、当該床板の下方に配置された複数の梁（図示せず）とを有している。当該梁は、例えばＸ軸方向（またはＹ軸方向）に延びる長尺状の部材であり、床板を下方から支えるとともに、当該床板を補強する。なお、床板及び梁の材質は特に限定されないが、金属等の強度の高い材質によって形成されているのが好ましい。
【００２９】
側壁部１２、１３、１４及び１５は、下壁部１１から立設して配置されたコンテナ１０の側壁であり、下壁部１１の外縁に沿って、下壁部１１を囲うように配置されている。側壁部１２、１３、１４及び１５のそれぞれは、側面を形成する矩形状の板状部材と、当該板状部材を補強する複数の柱（図示せず）とを有している。つまり、当該柱は、下壁部１１の外縁から上方（Ｚ軸方向プラス側）に延びる長尺状の部材である。なお、当該板状部材及び柱の材質は特に限定されないが、金属等の強度の高い材質によって形成されているのが好ましい。
【００３０】
具体的には、側壁部１２は、コンテナ１０の長側面のうちＸ軸方向プラス側の面（前面）に配置された壁であり、側壁部１４は、コンテナ１０の長側面のうちＸ軸方向マイナス側の面（背面）に配置された壁である。ここで、側壁部１２には、開閉扉１２ａが設けられている。開閉扉１２ａは、蓄電装置１００及び制御装置３００を収容する部屋への出入口となる矩形状の扉であり、開閉可能に設置されている。つまり、側壁部１２には、人が出入りできるほどの大きさの開口部が形成されており、開閉扉１２ａは、当該開口部を開閉可能に取り付けられている。なお、側壁部１２及び１４の構成の詳細については、後述する。
【００３１】
側壁部１３は、コンテナ１０の短側面のうちＹ軸方向プラス側の面に配置された壁であり、側壁部１５は、コンテナ１０の短側面のうちＹ軸方向マイナス側の面に配置された壁である。ここで、側壁部１３には、開閉扉１３ａが設けられている。開閉扉１３ａは、パワーコンディショナ２００を収容する部屋への出入口となる矩形状の扉であり、開閉可能に設置されている。つまり、側壁部１３には、人が出入りできるほどの大きさの開口部が形成されており、開閉扉１３ａは、当該開口部を開閉可能に取り付けられている。
【００３２】
なお、図１に示される、開閉扉１２ａ及び開閉扉１３ａそれぞれの位置は例示であり、これらの位置は、図１に示される位置に限定されない。例えば、開閉扉１２ａは、側壁部１２において、図１に示される位置とは異なる位置に配置されてもよく、他の側壁部（例えば側壁部１５）に配置されていてもよい。また、開閉扉１３ａが、例えば側壁部１２に配置されていてもよい。
【００３３】
上壁部１６は、コンテナ１０の上部に配置された天井（屋根）を構成する壁であり、側壁部１２、１３、１４及び１５の上方に配置されている。つまり、上壁部１６は、外縁が側壁部１２、１３、１４及び１５の上端に接続されて配置されている。また、上壁部１６は、天面を形成する矩形状の板状部材と、当該板状部材を補強する複数の梁（図示せず）とを有している。当該梁は、例えばＸ軸方向（またはＹ軸方向）に延びる長尺状の部材である。なお、当該板状部材及び梁の材質は特に限定されないが、金属等の強度の高い材質によって形成されているのが好ましい。
【００３４】
間仕切壁１７は、蓄電装置１００とパワーコンディショナ２００との間に配置され、蓄電装置１００が配置される空間とパワーコンディショナ２００が配置される空間とを仕切る壁である。つまり、間仕切壁１７は、側壁部１３及び１５と平行、かつ、下壁部１１、側壁部１２、１４及び上壁部１６の４つの壁に囲まれるように当該４つの壁に接して配置された矩形状の板状部材である。なお、間仕切壁１７は、他の壁と同様に、柱または梁を有することにしてもよい。
【００３５】
以上のように、コンテナ１０を構成する壁部（下壁部１１、側壁部１２、１３、１４、１５、上壁部１６、及び間仕切壁１７）は、板状部材を有している。当該板状部材は、波板などどのような形状の部材であってもかまわないが、コンテナ１０内の利用可能な容積を広げる等の観点から、平板状の部材であるのが好ましい。また、コンテナ１０内の温度管理等の観点から、当該壁部は、内部に断熱材を有していることにしてもよい。
【００３６】
蓄電装置１００は、後述の複数の蓄電素子１２２を有する蓄電モジュール１２０を複数備えた装置（つまり、複数の蓄電池を備えた蓄電池盤）である。本実施の形態では、８つの蓄電装置１００（蓄電装置１０１〜１０８）のそれぞれは、矩形状を有し、１２個の蓄電素子１２２を有する蓄電モジュール１２０を３６個備えている。つまり、８つの蓄電装置１００の全てで、３４５６個の蓄電素子１２２（２８８個の蓄電モジュール１２０）を有している。
【００３７】
具体的には、８つの蓄電装置１００は、蓄電装置１０１〜１０４で構成される第一系統と、蓄電装置１０５〜１０８で構成される第二系統との２つの系統に分かれて、配置されている。そして、第一系統及び第二系統の各系統において、直列に接続された１２個の蓄電モジュール１２０が、１２セット並列に接続されている。
【００３８】
ここで、第一系統の蓄電装置１０１〜１０４は、側壁部１４の内側面に沿ってＹ軸方向に並んで配置されており、第二系統の蓄電装置１０５〜１０８は、側壁部１２の内側面に沿ってＹ軸方向に並んで配置されている。これにより、第一系統の蓄電装置１０１〜１０４と第二系統の蓄電装置１０５〜１０８との間に、機器の重大な障害発生時等に人が立入可能な空間が形成されている。
【００３９】
また、蓄電装置１０１〜１０８は、コンテナ１０の側壁に固定されている。つまり、蓄電装置１０１〜１０４は、側壁部１４の内側面に固定されており、蓄電装置１０５〜１０８は、側壁部１２の内側面に固定されている。この蓄電装置１０１〜１０８がコンテナ１０の側壁に固定されている構成の詳細については、後述する。
【００４０】
なお、系統の数、１系統に含まれる蓄電装置１００の数、蓄電装置１００が有する蓄電モジュール１２０の数、蓄電モジュール１２０が有する蓄電素子１２２の数、直列に接続される蓄電モジュール１２０（蓄電素子１２２）の数などは、一例であり、上記の数に限定されない。例えば、コンテナ型蓄電ユニット１は１つの蓄電装置１００しか備えておらず、さらに、当該１つの蓄電装置１００は１つの蓄電素子１２２しか有していない構成でもかまわない。この蓄電装置１００の詳細な構成についての説明は、後述する。
【００４１】
パワーコンディショナ２００は、コンテナ１０の蓄電装置１００とは反対側（Ｙ軸方向プラス側）に、側壁部１４に沿って配置される外形が矩形状のパワーコンディショナ（Ｐｏｗｅｒ  Ｃｏｎｄｉｔｉｏｎｉｎｇ  Ｓｙｓｔｅｍ：ＰＣＳ）である。パワーコンディショナ２００は、外部の電力系統と蓄電装置１００とを繋ぎ、蓄電装置１００への電力を交流から直流に変換したり、蓄電装置１００からの電力を直流から交流に変換したりする交直変換装置である。
【００４２】
具体的には、図３に示すように、パワーコンディショナ２００は、蓄電装置１００に接続（つまり、制御装置３００を介して複数の蓄電モジュール１２０、すなわち複数の蓄電素子１２２に接続）されるとともに、外部の電力系統（商用電力系統２や電力負荷３など）に接続されている。そして、パワーコンディショナ２００は、蓄電素子１２２の充電時に、当該電力系統から交流電力を受電した場合には、当該交流電力を直流電力に変換し、蓄電装置１００へ送電する。また、パワーコンディショナ２００は、蓄電装置１００に貯蔵されている電力を電力系統に供給するために、蓄電装置１００からの直流電力を交流電力に変換して、電力系統へ送電する。
【００４３】
ここで、本実施の形態では、２つのパワーコンディショナ２００（パワーコンディショナ２０１、２０２）が設けられており、それぞれのパワーコンディショナ２００は、電源線５１０、５２０及び制御装置３００を介して、蓄電装置１００の各系統に接続されている。電源線５１０、５２０は、蓄電装置１００の充放電による電流が流れる配線（ケーブル）である。つまり、パワーコンディショナ２０１は、電源線５１０、５２０及び制御装置３００を介して、第一系統の蓄電装置１０１〜１０４に接続され、パワーコンディショナ２０２は、電源線５１０、５２０及び制御装置３００を介して、第二系統の蓄電装置１０５〜１０８に接続されている。これにより、蓄電装置１０１〜１０８の充放電が行われる。
【００４４】
なお、パワーコンディショナ２００は、変圧器を介して、外部の電力系統と接続されているが、詳細な説明は省略する。また、パワーコンディショナ２００の外形は、矩形状には限定されず、円柱形状など種々の形状が適用可能である。
【００４５】
図２に戻り、制御装置３００は、蓄電装置１００とパワーコンディショナ２００との間に配置される外形が矩形状の装置であり、蓄電装置１００を制御する。ここで、制御装置３００は、間仕切壁１７に沿って配置されている。具体的には、制御装置３００は、間仕切壁１７の蓄電装置１００側に配置されている。つまり、間仕切壁１７によって仕切られた２つの部屋のうちの一方の部屋（Ｙ軸方向マイナス側の部屋）に、蓄電装置１００と制御装置３００とが収容され、他方の部屋（Ｙ軸方向プラス側の部屋）にパワーコンディショナ２００が収容されている。なお、蓄電装置１００と制御装置３００とは、機器の重大な障害発生時等に人が立入可能な空間が形成されるように、離間して配置されている。
【００４６】
ここで、制御装置３００は、蓄電装置１００の主回路を集合させ、並列接続し、パワーコンディショナ２００と取り合うための中継の役割を担っている。また、制御装置３００は、蓄電装置１００が有する蓄電モジュール１２０（または蓄電素子１２２）の充電状態や放電状態等に関する情報（電圧、温度など）を取得して監視する。つまり、制御装置３００には、当該情報を集合させてシステム全体の情報を取りまとめる監視装置が収納されている。また、制御装置３００は、パワーコンディショナ２００に対して充放電指令を行うことで、蓄電装置１００が有する蓄電モジュール１２０（または蓄電素子１２２）を制御する。つまり、制御装置３００には、充放電制御装置が収納されている。
【００４７】
具体的には、図３に示すように、制御装置３００は、電源線５１０を介して、各系統に含まれる蓄電装置１００（蓄電装置１０１〜１０８）と接続され、電源線５２０を介して、パワーコンディショナ２００と接続されている。また、制御装置３００は、通信線５３０を介して、各系統に含まれる蓄電装置１００（蓄電装置１０１〜１０８）に接続されている。通信線５３０は、蓄電装置１００からの情報、または蓄電装置１００への情報を伝達する配線（ケーブル）である。これにより、蓄電装置１００が有する蓄電モジュール１２０（または蓄電素子１２２）の充電状態や放電状態等の情報が制御装置３００に送られる。
【００４８】
また、制御装置３００は、通信線５４０を介して、パワーコンディショナ２００に接続されており、パワーコンディショナ２００に充放電指令を送信し、蓄電装置１００の充放電を制御する。通信線５４０は、パワーコンディショナ２００からの情報、またはパワーコンディショナ２００への情報を伝達する配線（ケーブル）である。つまり、パワーコンディショナ２０１及び２０２は、通信線５４０を介して送信された制御装置３００からの充放電指令に従って、第一系統の蓄電装置１０１〜１０４及び第二系統の蓄電装置１０５〜１０８の充放電を制御する。
【００４９】
なお、制御装置３００は、上記の充放電制御装置を有していない構成（いわゆる蓄電池集合盤）であってもかまわないし、さらに、上記の監視装置を有していない構成であってもかまわない。この場合、コンテナ型蓄電ユニット１は、充放電制御装置または監視装置を別体として有していてもよいし、有していない構成でもかまわない。
【００５０】
次に、蓄電装置１００の具体的な構成について、詳細に説明する。
【００５１】
図４は、本発明の実施の形態に係る蓄電装置１００の内部の構成を示す斜視図である。具体的には、同図は、ラック１１０の外装部１１１を透過して蓄電装置１００の内部構成を示している。
【００５２】
同図に示すように、蓄電装置１００は、蓄電装置１００の外装体を構成するラック１１０と、ラック１１０内に収容された複数の蓄電モジュール１２０とを備えている。また、ラック１１０は、外装部１１１と、ラック柱１１２と、ラック梁１１３と、支持台１１４とを有している。
【００５３】
外装部１１１は、６枚の矩形状の平板からなる中空の直方体形状（箱型）の部材であり、複数の蓄電モジュール１２０を覆うように配置されている。ラック柱１１２は、外装部１１１の内側面に設けられた鉛直方向（Ｚ軸方向）に延びる柱であり、本実施の形態では、複数の蓄電モジュール１２０の両側方（Ｙ軸方向両側）に６本のラック柱１１２が配置されている。ラック梁１１３は、水平方向（同図ではＹ軸方向）に延び、２本のラック柱１１２を繋ぐ梁であり、本実施の形態では、ラック１１０の背面の上下に２本のラック梁１１３が配置されている。支持台１１４は、６本のラック柱１１２に固定された平板状の部材であり、蓄電モジュール１２０を載置して支持する。
【００５４】
なお、ラック１１０を構成する部材（外装部１１１、ラック柱１１２、ラック梁１１３、支持台１１４）は、どのような材質で形成されていてもよいが、金属等の強度の高い材質によって形成されているのが好ましい。
【００５５】
蓄電モジュール１２０は、外部からの電気を充電し、また外部へ電気を放電することができる機器（電池モジュール）である。本実施の形態では、１２段の支持台１１４のそれぞれに、３個の蓄電モジュール１２０が載置されている。また、４段分（１２個）の蓄電モジュール１２０が直列に接続されており、当該４段分の蓄電モジュール１２０が、３セット並列に接続されている。なお、蓄電モジュール１２０の個数は限定されず、他の複数個数または１個であってもよい。ここで、蓄電モジュール１２０の具体的な構成について、詳細に説明する。
【００５６】
図５は、本発明の実施の形態に係る蓄電モジュール１２０の構成を示す斜視図である。具体的には、同図は、蓄電モジュール１２０の収容ケース１２１を透過して蓄電モジュール１２０の内部構成を示している。
【００５７】
同図に示すように、蓄電モジュール１２０は、蓄電モジュール１２０の外装体を構成する収容ケース１２１と、収容ケース１２１内に収容された複数の蓄電素子１２２とを備えている。収容ケース１２１は、中空の直方体形状（箱型）の部材であり、複数の蓄電素子１２２を覆うように配置されている。収容ケース１２１は、絶縁を確保する等の観点から、樹脂等の絶縁性の材質によって形成されているのが好ましい。
【００５８】
なお、同図では、蓄電モジュール１２０は、１２個の矩形状の蓄電素子１２２を備えているが、蓄電素子１２２の個数は限定されず、他の複数個数または１個であってもよい。また、蓄電素子１２２の形状も限定されず、円柱形状や長円柱形状などであってもよい。また、蓄電モジュール１２０は、蓄電素子１２２同士を電気的に接続するバスバーや、蓄電素子１２２間に配置されるスペーサなども備えているが、詳細な説明は省略する。ここで、蓄電素子１２２の具体的な構成について、詳細に説明する。
【００５９】
図６は、本発明の実施の形態に係る蓄電素子１２２の構成を示す斜視図である。具体的には、同図は、蓄電素子１２２の容器から容器本体１２２ｂを分離して、当該容器の内方を示した図となっている。
【００６０】
蓄電素子１２２は、電気を充電し、また、電気を放電することのできる二次電池であり、より具体的には、リチウムイオン二次電池などの非水電解質二次電池である。なお、蓄電素子１２２は、非水電解質二次電池には限定されず、非水電解質二次電池以外の二次電池であってもよいし、キャパシタであってもかまわない。
【００６１】
同図に示すように、蓄電素子１２２は、容器を構成する容器蓋体１２２ａ及び容器本体１２２ｂと、正極端子１２２ｃと、負極端子１２２ｄとを備え、容器内方には、正極集電体１２２ｅと、負極集電体１２２ｆと、電極体１２２ｇとが配置されている。なお、容器内部には電解液などの液体が封入されているが、当該液体の図示は省略する。
【００６２】
容器本体１２２ｂは、金属からなる矩形筒状で底を備える部材であり、容器蓋体１２２ａは、容器本体１２２ｂの開口を閉塞する金属製の部材である。この容器本体１２２ｂの内部に電極体１２２ｇ等が収容され、容器蓋体１２２ａと容器本体１２２ｂとが溶接等されることにより、容器の内部が密封される。
【００６３】
電極体１２２ｇは、正極と負極とセパレータとを備え、電気を蓄えることができる発電要素である。具体的には、電極体１２２ｇは、正極と負極との間にセパレータが挟み込まれるように層状に配置されたものが巻回されて長円形状に形成された巻回型の電極体である。なお、電極体１２２ｇは、円形状または楕円形状などに形成されていてもよいし、正極と負極とセパレータとが積層された積層型の電極体であってもかまわない。
【００６４】
正極は、アルミニウムまたはアルミニウム合金などからなる長尺帯状の導電性の正極集電箔の表面に、正極活物質層が形成された電極板である。負極は、銅または銅合金などからなる長尺帯状の導電性の負極集電箔の表面に、負極活物質層が形成された電極板である。なお、正極活物質層に用いられる正極活物質、及び負極活物質層に用いられる負極活物質としては、リチウムイオンを吸蔵放出可能なものであれば、適宜公知の材料を使用できる。
【００６５】
正極端子１２２ｃは、正極集電体１２２ｅを介して、電極体１２２ｇの正極に電気的に接続された電極端子であり、負極端子１２２ｄは、負極集電体１２２ｆを介して、電極体１２２ｇの負極に電気的に接続された電極端子である。つまり、正極端子１２２ｃ及び負極端子１２２ｄは、電極体１２２ｇに蓄えられている電気を蓄電素子１２２の外部空間に導出し、また、電極体１２２ｇに電気を蓄えるために蓄電素子１２２の内部空間に電気を導入するための金属製の電極端子である。
【００６６】
正極集電体１２２ｅは、電極体１２２ｇの正極と容器本体１２２ｂの側壁との間に配置され、正極端子１２２ｃと当該正極とに電気的に接続される導電性と剛性とを備えた部材である。なお、正極集電体１２２ｅは、当該正極の正極集電箔と同様、アルミニウムまたはアルミニウム合金などを主成分とする金属で形成されている。
【００６７】
負極集電体１２２ｆは、電極体１２２ｇの負極と容器本体１２２ｂの側壁との間に配置され、負極端子１２２ｄと当該負極とに電気的に接続される導電性と剛性とを備えた部材である。なお、負極集電体１２２ｆは、当該負極の負極集電箔と同様、銅または銅合金などを主成分とする金属で形成されている。
【００６８】
次に、蓄電装置１００（蓄電装置１０１〜１０８）がコンテナ１０に固定されている構成について、詳細に説明する。
【００６９】
図７は、本発明の実施の形態に係る蓄電装置１００がコンテナ１０に固定されている構成を示す斜視図である。具体的には、同図は、図２に示されたコンテナ型蓄電ユニット１の内部において、蓄電装置１００のラック１１０が梁部材４００によってコンテナ１０の側壁部１４に固定されている構成を示している。また、図８は、本発明の実施の形態に係る梁部材４００の構成を示す斜視図である。
【００７０】
なお、図７では、蓄電装置１０１〜１０４のラック１１０がコンテナ１０の側壁部１４に固定されている構成を示しているが、蓄電装置１０５〜１０８のラック１１０がコンテナ１０の側壁部１２に固定される構成も同様である。このため、以下では、蓄電装置１０１〜１０４についての説明を行い、蓄電装置１０５〜１０８についての説明は省略する。
【００７１】
まず、図７に示すように、コンテナ型蓄電ユニット１は、蓄電装置１００のラック１１０の外側面の上部及び中央部に固定される少なくとも２つの梁部材４００を備えている。ここで、ラック１１０の外側面とは、ラック１１０の外側に向いた（露出した）面であり、本実施の形態では、ラック１１０の上面（Ｚ軸方向プラス側の面）と下面（Ｚ軸方向マイナス側の面）とを除く４側面のうちのいずれかの面（図７では、ラック１１０のＸ軸方向マイナス側の面（背面））である。
【００７２】
具体的には、コンテナ１０の側壁部１４の内側面（Ｘ軸方向プラス側の面）と、ラック１１０の外側面（Ｘ軸方向マイナス側の面）の上部及び中央部との間に、２つの梁部材４００（梁部材４０１及び４０２）が配置され固定されている。なお、側壁部１４の内側面とは、側壁部１４の両側面のうちのコンテナ１０の内側に向いた面である。
【００７３】
ここで、梁部材４００は、コンテナ１０の内側面に沿って鉛直方向（Ｚ軸方向）と交差する方向（同図ではＹ軸方向）に延設されたコンテナ１０の梁を構成する部材である。つまり、梁部材４０１は、ラック１１０の上部に対応する位置に、側壁部１４の内側面に沿って、Ｙ軸方向に延設されて配置されている。また、梁部材４０２は、ラック１１０の中央部に対応する位置に、側壁部１４の内側面に沿って、Ｙ軸方向に延設されて配置されている。
【００７４】
また、梁部材４００（梁部材４０１及び４０２）は、両側面の一方（Ｘ軸方向マイナス側の面）がコンテナ１０の側壁部１４の内側面に固定され、当該両側面の他方（Ｘ軸方向プラス側の面）が蓄電装置１００のラック１１０の外側面に固定されている。具体的には、梁部材４００は、当該両側面の他方が複数のラック１１０の外側面に固定されている。ここで、梁部材４００（梁部材４０１及び４０２）の構成について、詳細に説明する。
【００７５】
図８に示すように、梁部材４００は、第一梁側壁４１０と、第二梁側壁４２０と、梁上壁４３０と、梁下壁４４０とを有する角筒形状の部材である。第一梁側壁４１０は、梁部材４００の一方の側面を有する側壁であり、第二梁側壁４２０は、梁部材４００の他方の側面を有する側壁である。また、梁上壁４３０は、梁部材４００の鉛直方向上側の上面を有する上壁であり、梁下壁４４０は、梁部材４００の鉛直方向下側の下面を有する下壁である。
【００７６】
具体的には、第一梁側壁４１０は、梁部材４００のＸ軸方向マイナス側に配置された、Ｙ軸方向に延びる長尺状かつ矩形状の板状部材である。第二梁側壁４２０は、梁部材４００のＸ軸方向プラス側に配置された、Ｙ軸方向に延びる長尺状かつ矩形状の板状部位である。梁上壁４３０は、梁部材４００のＺ軸方向プラス側に配置された、Ｙ軸方向に延びる長尺状かつ矩形状の板状部位である。梁下壁４４０は、梁部材４００のＺ軸方向マイナス側に配置された、Ｙ軸方向に延びる長尺状かつ矩形状の板状部位である。
【００７７】
また、第二梁側壁４２０と梁上壁４３０と梁下壁４４０とは１枚の平板状部材を折り曲げるなどによって一体に形成されており、第一梁側壁４１０と溶接などによって接続されている。つまり、梁部材４００は、第二梁側壁４２０、梁上壁４３０及び梁下壁４４０からなる部材と、第一梁側壁４１０からなる部材との２つの部材が接合されることで構成されている。
【００７８】
なお、梁部材４００は、当該２つの部材から構成されることには限定されず、全ての部材が一体に形成されて１つの部材で構成されていてもよいし、３つ以上の部材から構成されていてもかまわない。また、梁部材４００は、端部（Ｙ軸方向プラス側及びマイナス側の端部）に、端面の開口を塞ぐ板材を有していてもかまわない。また、梁部材４００は、強度面等から、鋼材やステンレス材などの金属によって形成されるのが好ましいが、金属以外で形成されてもかまわない。
【００７９】
ここで、梁上壁４３０には、梁上壁４３０を鉛直方向に貫通する貫通口である上側通気口４３１が形成されている。上側通気口４３１は、矩形状の開口を有する貫通孔であり、梁上壁４３０の延びる方向（Ｙ軸方向）に、等間隔に複数配列されている。また、梁下壁４４０には、梁下壁４４０を鉛直方向に貫通する貫通口である下側通気口４４１が形成されている。下側通気口４４１は、矩形状の開口を有する貫通孔であり、梁下壁４４０の延びる方向（Ｙ軸方向）に、等間隔に複数配列されている。
【００８０】
本実施の形態では、上側通気口４３１と下側通気口４４１とは、同じ形状かつ同じ大きさを有しており、上面視で同じ位置に、同じ間隔で配列されている。つまり、上側通気口４３１と下側通気口４４１とは、鉛直方向において対向する位置に配置されている。
【００８１】
なお、本実施の形態では、上側通気口４３１及び下側通気口４４１の開口の形状は、長方形状であるが、当該形状は特に限定されず、正方形状、円形状、楕円形状、長円形状、三角形状その他の多角形状など、どのような形状であってもかまわない。また、上側通気口４３１及び下側通気口４４１は、等間隔に複数配列されていなくともよく、どのような間隔で配列されていてもよいし、１つしか形成されていない構成でもかまわない。
【００８２】
次に、梁部材４００がコンテナ１０の側壁部１４に固定されている構成について、さらに詳細に説明する。
【００８３】
図９は、本発明の実施の形態に係る梁部材４００がコンテナ１０の側壁部１４に固定されている構成を示す正面図である。具体的には、同図は、梁部材４００が側壁部１４に固定されている状態を、Ｘ軸方向プラス側から見た場合の図である。また、図１０は、本発明の実施の形態に係る梁部材４００がコンテナ１０の側壁部１４に固定されている構成を示す断面図である。具体的には、同図は、図９で示された構成をＸ−Ｘ線で切断した場合の断面図を示している。
【００８４】
なお、上述の通り、側壁部１２についても側壁部１４と同様の構成を有しており、これらの図と同様に、側壁部１２にも梁部材４００が固定されている。
【００８５】
図９に示すように、コンテナ１０の側壁部１４は、側壁柱１４ａと、補強部材１４ｂと、内張板１４ｃとを有している。また、図１０に示すように、側壁部１４は、さらに、外板１４ｄと、断熱材１４ｅとを有している。
【００８６】
外板１４ｄは、側壁部１４の外壁を構成する平板状の部材であり、例えば、鋼板などの金属によって形成されている。
【００８７】
側壁柱１４ａは、側壁部１４の柱であり、側壁部１４の補強の役割を担っている。側壁柱１４ａは、外板１４ｄに沿って鉛直方向に延びる長尺状かつ矩形状の部材であり、Ｙ軸方向に略等間隔で複数配列されている。側壁柱１４ａは、強度面等から、鋼材やステンレス材などの金属によって形成されるのが好ましいが、金属以外で形成されてもかまわない。なお、側壁柱１４ａの形状は限定されず、複数の側壁柱１４ａが配置される間隔も特に限定されない。
【００８８】
補強部材１４ｂは、隣り合う２つの側壁柱１４ａの間に配置された部材であり、側壁柱１４ａとともに、側壁部１４の補強の役割（梁の役割）を担っている。補強部材１４ｂは、外板１４ｄに沿ってＹ軸方向に延びる長尺状かつ矩形状の部材であり、２つの側壁柱１４ａの間、かつ、側壁柱１４ａの上部及び中央部に対応する位置に配置されている。
【００８９】
つまり、補強部材１４ｂは、梁部材４００が固定される位置に配置され、外板１４ｄに溶接などで固定されている。なお、補強部材１４ｂは、ボルト締め、ネジ止め、リベットによるかしめなどによって外板１４ｄに固定されていてもよい。また、補強部材１４ｂは、側壁柱１４ａと同様に、強度面等から、鋼材やステンレス材などの金属によって形成されるのが好ましいが、金属以外で形成されてもかまわない。
【００９０】
内張板１４ｃは、側壁柱１４ａと補強部材１４ｂとで囲まれた凹部を塞ぐように配置される平板状の部材であり、例えば、鋼板などの金属によって形成されている。つまり、内張板１４ｃは、外板１４ｄとで断熱材１４ｅを挟むように、断熱材１４ｅ上に配置され、リベットなどによって外板１４ｄに対して固定されている。
【００９１】
断熱材１４ｅは、側壁柱１４ａと補強部材１４ｂとで囲まれた凹部に充填される断熱材であり、外板１４ｄと内張板１４ｃとの間に配置される。
【００９２】
これらの構成により、梁部材４００は、側壁柱１４ａ及び補強部材１４ｂに、溶接などで固定される。つまり、第一梁側壁４１０が側壁柱１４ａ及び補強部材１４ｂに固定されることで、梁部材４００が側壁部１４の内側面に固定される。また、第二梁側壁４２０がラック１１０の外側面に固定されることで、梁部材４００が蓄電装置１００に固定される。
【００９３】
また、梁部材４００には、鉛直方向上側の上面（梁上壁４３０のＺ軸方向プラス側の面）と、鉛直方向下側の下面（梁下壁４４０のＺ軸方向マイナス側の面）とを貫通する通気口が形成されている。つまり、当該通気口は、梁上壁４３０を貫通する上側通気口４３１と、梁下壁４４０を貫通する下側通気口４４１とを有している。これにより、当該通気口を、蓄電装置１００のラック１１０内に配置された蓄電素子１２２からの熱で熱せられた空気が通過することで、放熱が行われる。
【００９４】
なお、梁部材４００は、第一梁側壁４１０を有しておらず、第二梁側壁４２０と梁上壁４３０と梁下壁４４０とから構成されていることにしてもよい。この場合、梁上壁４３０及び梁下壁４４０のＸ軸方向マイナス側の端面が、側壁部１４（側壁柱１４ａ及び補強部材１４ｂ）の内側面に、溶接などで固定される。
【００９５】
また、梁部材４００は、側壁柱１４ａ及び補強部材１４ｂに、ボルト締め、ネジ止め、リベットによるかしめなどによって固定されてもよい。また、梁部材４００とラック１１０との固定方法についても、特に限定されず、ボルト締め、ネジ止め、リベットによるかしめなどによる固定や、溶接による固定などが挙げられる。
【００９６】
以上のように、本発明の実施の形態に係るコンテナ型蓄電ユニット１によれば、コンテナ１０の内側面と蓄電装置１００のラック１１０の外側面とに固定された梁部材４００を有している。ここで、コンテナ型蓄電ユニット１は、通常の建築物と比べて、地震等の場合に揺れやすいため、ラック１１０が転倒するなどの不具合が生じやすく、コンテナ１０内でラック１１０を安定して固定しておきたいという要望が強い。このため、コンテナ１０とラック１１０とが梁部材４００によって固定されているため、コンテナ１０内でラック１１０を安定して固定することができる。
【００９７】
また、コンテナ型蓄電ユニット１が複数のラック１１０を備えている構成においては、１つの梁部材４００に当該複数のラック１１０を固定することで、梁部材４００をコンテナ１０とラック１１０とに固定する際の寸法精度の向上及び強度確保を図ることができる。
【００９８】
また、コンテナ型蓄電ユニット１において、ラック１１０の上部及び中央部に梁部材４００を固定することで、コンテナ１０内でラック１１０をさらに安定して固定することができる。
【００９９】
また、コンテナ１０とラック１１０とを梁部材４００を介して固定した構成では、コンテナ１０とラック１１０との間の隙間が小さくなるため、蓄電素子１２２から発せられる熱が当該隙間に滞留し、また、梁部材４００によって放熱が妨げられる。このため、梁部材４００に通気口を設けることで、コンテナ１０とラック１１０との間に熱が滞留するのを抑制し、当該熱を放熱することができる。
【０１００】
また、梁部材４００の軽量化を図るために中空の梁部材４００を用いた場合でも、梁部材４００の上壁と下壁とに通気口を形成することで、コンテナ１０とラック１１０との間に熱が滞留するのを抑制し、当該熱を放熱することができる。
【０１０１】
また、梁部材４００の上壁と下壁の通気口を対向する位置に配置することで、熱の流れを良くして、当該熱が滞留するのを抑制することができる。
【０１０２】
（変形例１）
次に、上記実施の形態の変形例１について、説明する。上記実施の形態では、コンテナ型蓄電ユニット１は、蓄電装置１００のラック１１０の上部及び中央部に固定された２つの梁部材４００を備えていることとした。しかし、本変形例では、コンテナ型蓄電ユニットは、１つの梁部材しか備えていない。
【０１０３】
図１１は、本発明の実施の形態の変形例１に係る梁部材４００ａによって蓄電装置１００がコンテナ１０に固定されている構成を示す斜視図である。具体的には、同図は、図７に対応する図である。
【０１０４】
同図に示すように、本変形例におけるコンテナ型蓄電ユニットは、上記実施の形態におけるコンテナ型蓄電ユニット１が備える２つの梁部材４００に代えて、１つの梁部材４００ａを備えている。その他の構成については、上記実施の形態と同様のため、説明は省略する。
【０１０５】
梁部材４００ａは、蓄電装置１００のラック１１０の中央部から上部に向けて、側壁部１４に沿って斜めに延びるように配置されている。具体的には、梁部材４００ａは、一端が蓄電装置１０１のラック１１０の中央部に配置され、他端が蓄電装置１０４のラック１１０の上部に配置されるように、側壁部１４に沿って斜めに配置されている。
【０１０６】
また、梁部材４００ａは、両側面の一方（Ｘ軸方向マイナス側の面）がコンテナ１０の側壁部１４の内側面に固定され、当該両側面の他方（Ｘ軸方向プラス側の面）が複数のラック１１０の外側面に固定されている。なお、梁部材４００ａには、上記実施の形態と同様に、上壁と下壁とに通気口が形成されている。
【０１０７】
以上のように、本発明の実施の形態の変形例１に係るコンテナ型蓄電ユニットにおいても、上記実施の形態と同様の効果を奏することができる。特に、１つの梁部材４００ａしか設けていないため、蓄電装置１００をコンテナ１０に容易に固定することができるとともに、コスト低減も図ることができる。
【０１０８】
なお、梁部材４００ａは、斜め方向ではなく、ラック１１０の上部または中央部にＹ軸方向に延びるように配置してもよいし、ラック１１０の上部と中央部との中間位置にＹ軸方向に延びるように配置するなどでもかまわない。
【０１０９】
また、梁部材４００ａに加えて、梁部材４００ａと交差するように他の梁部材を配置する（つまり、２つの梁部材をＸ字形状になるように配置する）構成でもよい。また、３本以上の梁部材を配置してもよい。
【０１１０】
また、上記では、１つの梁部材に複数のラック１１０を固定することとしたが、ラック１１０ごとに梁部材を設け、１つの梁部材に１つのラック１１０を固定する構成にしてもかまわない。
【０１１１】
（変形例２）
次に、上記実施の形態の変形例２について、説明する。上記実施の形態では、梁部材４００の上側通気口４３１と下側通気口４４１とは、鉛直方向において対向する位置に配置されていることとした。しかし、本変形例では、梁部材の上側通気口と下側通気口とは、鉛直方向において対向する位置に配置されていない。
【０１１２】
図１２は、本発明の実施の形態の変形例２に係る梁部材４００ｂの構成を示す斜視図である。具体的には、同図は、図８に対応する図である。
【０１１３】
同図に示すように、本変形例におけるコンテナ型蓄電ユニットは、上記実施の形態におけるコンテナ型蓄電ユニット１が備える梁部材４００に代えて、梁部材４００ｂを備えている。その他の構成については、上記実施の形態と同様のため、説明は省略する。
【０１１４】
梁部材４００ｂは、上記実施の形態における梁部材４００と同様に、第一梁側壁４１０と、第二梁側壁４２０と、梁上壁４３０とを有している。また、梁部材４００ｂは、さらに、上記実施の形態における梁下壁４４０に代えて、梁下壁４４０ｂを有している。また、梁下壁４４０ｂには、梁下壁４４０ｂを鉛直方向に貫通する下側通気口４４１ｂが形成されている。下側通気口４４１ｂは、矩形状の開口を有する貫通孔であり、梁下壁４４０ｂの延びる方向（Ｙ軸方向）に、等間隔に複数配列されている。
【０１１５】
ここで、梁上壁４３０に形成された上側通気口４３１と下側通気口４４１ｂとは、上面視で異なる位置になるように、配置されている。つまり、上側通気口４３１と下側通気口４４１ｂとは、互い違いになるように配置されている。
【０１１６】
以上のように、本発明の実施の形態の変形例２に係るコンテナ型蓄電ユニットにおいても、上記実施の形態と同様の効果を奏することができる。特に、上側通気口４３１と下側通気口４４１ｂとが対向するように形成する必要がないため、上側通気口４３１及び下側通気口４４１ｂを容易に形成することができる。
【０１１７】
なお、上側通気口４３１と下側通気口４４１ｂとは、全てが互い違いに配置されていなくともよく、一部が対向して配置されている構成でもかまわない。
【０１１８】
（変形例３）
次に、上記実施の形態の変形例３について、説明する。上記実施の形態では、梁部材４００に形成された上側通気口４３１と下側通気口４４１とは、上壁と下壁とに形成された貫通孔であることとした。しかし、本変形例では、梁部材の上側通気口と下側通気口とは、上壁と下壁とに形成された切り欠きである。
【０１１９】
図１３は、本発明の実施の形態の変形例３に係る梁部材４００ｃの構成を示す斜視図である。具体的には、同図の（ａ）は、梁部材４００ｃを製造する前の板状部材４０３を示す斜視図であり、同図の（ｂ）は、製造後の梁部材４００ｃを示す斜視図である。
【０１２０】
同図の（ｂ）に示すように、本変形例におけるコンテナ型蓄電ユニットは、上記実施の形態におけるコンテナ型蓄電ユニット１が備える梁部材４００に代えて、梁部材４００ｃを備えている。その他の構成については、上記実施の形態と同様のため、説明は省略する。
【０１２１】
梁部材４００ｃは、第一梁側壁４１０ｃと、第二梁側壁４２０ｃと、梁上壁４３０ｃと、梁下壁４４０ｃとを有している。つまり、同図の（ａ）に示すような板状部材４０３を折り曲げることによって、上記の壁を有する梁部材４００ｃを形成することができる。
【０１２２】
具体的には、板状部材４０３は、本体部４０３ａと、本体部４０３ａから上方に突出した突出部４０３ｂと、本体部４０３ａから下方に突出した突出部４０３ｃとを有している。そして、本体部４０３ａに対して突出部４０３ｂをＸ軸方向マイナス側に折り曲げることで、梁上壁４３０ｃが形成される。また、さらに、突出部４０３ｂをＺ軸方向プラス側に折り曲げることで、第一梁側壁４１０ｃが形成される。また、本体部４０３ａに対して突出部４０３ｃをＸ軸方向マイナス側に折り曲げることで、梁下壁４４０ｃが形成される。また、さらに、突出部４０３ｃをＺ軸方向マイナス側に折り曲げることで、第一梁側壁４１０ｃが形成される。また、本体部４０３ａは、第二梁側壁４２０ｃとなる。
【０１２３】
これにより、梁上壁４３０ｃに、梁上壁４３０ｃを鉛直方向に貫通する上側通気口４３１ｃが形成される。また、梁下壁４４０ｃに、梁下壁４４０ｃを鉛直方向に貫通する下側通気口４４１ｃが形成される。ここで、上側通気口４３１ｃ及び下側通気口４４１ｃは、矩形状の開口を有する切り欠きであり、梁上壁４３０ｃ及び梁下壁４４０ｃの延びる方向（Ｙ軸方向）に、等間隔に複数配列される。
【０１２４】
以上のように、本発明の実施の形態の変形例３に係るコンテナ型蓄電ユニットにおいても、上記実施の形態と同様の効果を奏することができる。特に、上側通気口４３１ｃ及び下側通気口４４１ｃとして貫通孔ではなく切り欠きを形成すればよいため、上側通気口４３１ｃ及び下側通気口４４１ｃの加工が容易になる。
【０１２５】
なお、上側通気口４３１ｃ及び下側通気口４４１ｃの切り欠きの形状は、矩形状には限定されず、三角形状、半円形状など、どのような形状であってもかまわない。
【０１２６】
（変形例４）
次に、上記実施の形態の変形例４について、説明する。上記実施の形態では、梁部材４００は、上側通気口４３１及び下側通気口４４１の２つの通気口を有していることとした。しかし、本変形例では、梁部材は、１つの通気口しか有していない。
【０１２７】
図１４は、本発明の実施の形態の変形例４に係る梁部材４００ｄの構成を示す図である。具体的には、同図は、図１０に対応する図である。
【０１２８】
同図に示すように、本変形例におけるコンテナ型蓄電ユニットは、上記実施の形態におけるコンテナ型蓄電ユニット１が備える梁部材４００に代えて、梁部材４００ｄを備えている。その他の構成については、上記実施の形態と同様のため、説明は省略する。
【０１２９】
梁部材４００ｄは、第一梁側壁４１０ｄと、第二梁側壁４２０ｄと、中央板部４５０ｄとを有している。第一梁側壁４１０ｄは、側壁部１４の内側面に固定される壁であり、第二梁側壁４２０ｄは、ラック１１０の外側面に固定される壁である。また、中央板部４５０ｄは、第一梁側壁４１０ｄと第二梁側壁４２０ｄとを中央部分で繋ぐ板状部位である。つまり、梁部材４００ｄは、断面がＨ型の形状を有している。
【０１３０】
ここで、中央板部４５０ｄは、Ｙ軸方向に延びる長尺状かつ矩形状の板状部位であり、中央板部４５０ｄを鉛直方向に貫通する貫通口である中央通気口４５１ｄが形成されている。中央通気口４５１ｄは、矩形状の開口を有する貫通孔であり、中央板部４５０ｄの延びる方向（Ｙ軸方向）に、等間隔に複数配列されている。
【０１３１】
つまり、梁部材４００ｄには、鉛直方向上側の上面（中央板部４５０ｄのＺ軸方向プラス側の面）と、鉛直方向下側の下面（中央板部４５０ｄのＺ軸方向マイナス側の面）とを貫通する中央通気口４５１ｄが形成されている。これにより、中央通気口４５１ｄを、蓄電装置１００のラック１１０内に配置された蓄電素子１２２からの熱で熱せられた空気が通過することで、放熱が行われる。
【０１３２】
以上のように、本発明の実施の形態の変形例４に係るコンテナ型蓄電ユニットにおいても、上記実施の形態と同様の効果を奏することができる。特に、梁部材４００ｄの１つの板状部位（中央板部４５０ｄ）に通気口（中央通気口４５１ｄ）を形成すればよいため、通気口の加工が容易になる。
【０１３３】
なお、本変形例では、中央通気口４５１ｄの開口の形状は、長方形状であるが、当該形状は特に限定されず、正方形状、円形状、楕円形状、長円形状、三角形状その他の多角形状など、どのような形状であってもかまわない。また、中央通気口４５１ｄは、等間隔に複数配列されていなくともよく、どのような間隔で配列されていてもよいし、１つしか形成されていない構成でもかまわない。
【０１３４】
また、中央板部４５０ｄの厚み（Ｚ軸方向の幅）は、特に限定されず、例えば、第一梁側壁４１０ｄ及び第二梁側壁４２０ｄのＺ軸方向の長さと同じ厚みでもかまわない。この場合、梁部材４００ｄは、断面が矩形状の形状、つまり、中実の角柱部材に、通気口が形成された形状となる。
【０１３５】
以上、本発明の実施の形態及びその変形例に係るコンテナ型蓄電ユニットについて説明したが、本発明は、上記実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【０１３６】
例えば、上記実施の形態及びその変形例では、コンテナ型蓄電ユニットは、コンテナ１０の内方に、蓄電装置１００とパワーコンディショナ２００と制御装置３００とを備えていることとした。しかし、コンテナ型蓄電ユニットは、パワーコンディショナ２００及び／または制御装置３００を備えていない構成でもかまわない。つまり、コンテナ型蓄電ユニットは、少なくとも１以上の蓄電装置１００を備えていればよい。
【０１３７】
また、コンテナ１０の内部の空間を仕切る間仕切壁１７は、コンテナ１０に必須の要素ではない。例えば、コンテナ型蓄電ユニットがパワーコンディショナ２００を備えていない場合、間仕切壁１７はなくてもよい。
【０１３８】
また、上記実施の形態及びその変形例では、コンテナ１０の内側面と蓄電装置１００のラック１１０の外側面とに固定された梁部材には、通気口が形成されていることとした。しかし、当該梁部材には、通気口は形成されていないことにしてもかまわない。
【０１３９】
また、上記実施の形態及びその変形例では、当該梁部材は、コンテナ１０の内側面に沿って鉛直方向と交差する方向に延設されていることとした。しかし、当該梁部材は、コンテナ１０の内側面に沿って鉛直方向に延設されていることにしてもよい。この場合には、当該梁部材に通気口を形成しなくとも、コンテナ１０とラック１１０との間に熱が滞留するのを抑制し、当該熱を放熱することができる。
【０１４０】
また、上記実施の形態及びその変形例では、側壁部１２及び側壁部１４に梁部材が固定されており、全ての蓄電装置１００（蓄電装置１０１〜１０８）が梁部材を介して側壁部１２及び側壁部１４に固定されていることとした。しかし、当該梁部材は、全ての蓄電装置１００に対応して配置されていなくともよく、側壁部１２及び側壁部１４のうちのいずれか一方にのみ配置されていてもよいし、側壁部１２または側壁部１４の一部にしか配置されていない構成でもかまわない。つまり、当該梁部材は、蓄電装置１０１〜１０８のうちの少なくとも１つの蓄電装置１００に対応して配置され、当該少なくとも１つの蓄電装置１００をコンテナ１０の内側面に固定していればよい。
【０１４１】
また、上記実施の形態及びその変形例が備える各構成要素を任意に組み合わせて構築される形態も、本発明の範囲内に含まれる。例えば、上記の変形例１の内容を変形例２〜４の構成に適用してもよいし、上記の変形例２の内容を変形例３の構成に適用してもかまわない。
【産業上の利用可能性】
【０１４２】
本発明は、１以上の蓄電素子をコンテナに収納したコンテナ型蓄電ユニット等に適用できる。
【符号の説明】
【０１４３】
１  コンテナ型蓄電ユニット
２  商用電力系統
３  電力負荷
１０  コンテナ
１１  下壁部
１２、１３、１４、１５  側壁部
１２ａ、１３ａ  開閉扉
１４ａ  側壁柱
１４ｂ  補強部材
１４ｃ  内張板
１４ｄ  外板
１４ｅ  断熱材
１６  上壁部
１７  間仕切壁
１００、１０１〜１０８  蓄電装置
１１０  ラック
１１１  外装部
１１２  ラック柱
１１３  ラック梁
１１４  支持台
１２０  蓄電モジュール
１２１  収容ケース
１２２  蓄電素子
１２２ａ  容器蓋体
１２２ｂ  容器本体
１２２ｃ  正極端子
１２２ｄ  負極端子
１２２ｅ  正極集電体
１２２ｆ  負極集電体
１２２ｇ  電極体
２００、２０１、２０２  パワーコンディショナ
３００  制御装置
４００、４００ａ、４００ｂ、４００ｃ、４００ｄ、４０１、４０２  梁部材
４０３  板状部材
４０３ａ  本体部
４０３ｂ、４０３ｃ  突出部
４１０、４１０ｃ、４１０ｄ  第一梁側壁
４２０、４２０ｃ、４２０ｄ  第二梁側壁
４３０、４３０ｃ  梁上壁
４３１、４３１ｃ  上側通気口
４４０、４４０ｂ、４４０ｃ  梁下壁
４４１、４４１ｂ、４４１ｃ  下側通気口
４５０ｄ  中央板部
４５１ｄ  中央通気口
５１０、５２０  電源線
５３０、５４０  通信線
【図１】
0006699088.tif 000002
【図２】
0006699088.tif 000003
【図３】
0006699088.tif 000004
【図４】
0006699088.tif 000005
【図５】
0006699088.tif 000006
【図６】
0006699088.tif 000007
【図７】
0006699088.tif 000008
【図８】
0006699088.tif 000009
【図９】
0006699088.tif 000010
【図１０】
0006699088.tif 000011
【図１１】
0006699088.tif 000012
【図１２】
0006699088.tif 000013
【図１３】
0006699088.tif 000014
【図１４】
0006699088.tif 000015